(57)【要約】【課題】容器体Ａの口頸部３にトリガー式ディスペンサーＢを装着したトリガー式噴出器であって、長時間のトリガー操作を行っても手が疲れたり，痛くなったりすることを極力防止でき、また、安定した把持状態での噴出操作が可能で取り扱い上便利なトリガー式噴出器を提案する。【解決手段】容器体Ａの胴部２の上部を把持可能な把持部2aに構成するとともに、把持部2aを握った手の上面を係止するための係止面ａを前記把持部上方に設けることにより、把持部を握る指に掛かる負担を軽減し、常時所定位置での噴出器の把持を可能とした。【選択図】図１
2006130416.tif 000002
【特許請求の範囲】
【請求項１】
胴部上に口頸部を起立した容器体と、前記口頸部に装着したトリガー式のディスペンサーとを備え、前記胴部の上部を把持可能な把持部に構成するとともに、該把持部を握った手の上面を係止するための係止面を前記把持部上方に設け、且つ、前記容器体前方に揺動可能に垂設したトリガーの下端を前記係止面より下方に垂下したことを特徴とするトリガー式噴出器。
【請求項２】
前記係止面が、装着キャップ外面より突設した板状突部の下面である請求項１記載のトリガー式噴出器。
【請求項３】
前記係止面が、前記ディスペンサーを構成する本体部の後部を装着キャップの下端レベルまで下方へ垂設し、その下面として構成してなる請求項１記載のトリガー式噴出器。
【請求項４】
前記係止面が、前記把持部の外周上端部に突設した突出部の下面である請求項１記載のトリガー式噴出器。
【請求項５】
前記係止面が、前記把持部外周に嵌合させた嵌合筒部外面より突設した板状突部の下面である請求項１記載のトリガー式噴出器。
【請求項６】
前記把持部の前面下部に指掛凹部を形成してなる請求項１乃至請求項５のいずれかに記載のトリガー式噴出器。
【請求項７】
前記トリガーの枢着部から下端部に至る長さを５０〜９０mmに構成するとともに、トリガーの支点から力点の距離：トリガーの支点から作用点の距離＝３．５：１以上で、且つ、前記係止面をトリガー力点と略水平に保つ如く構成してなる請求項１乃至請求項５のいずれかに記載のトリガー式噴出器。
【発明の詳細な説明】
【技術分野】
【０００１】
本発明はトリガー式噴出器に関する。
【背景技術】
【０００２】
トリガー式噴出器として、容器体にトリガー付きのディスペンサーを装着し、トリガー操作により容器体内の液を霧状或いは泡状或いは水柱状に噴出する如く構成したものが種々知られている。これらの一般的な形態として、前記ディスペンサーは口頸部に装着キャップを螺着することにより容器体に固定し、また装着キャップ上に延設した本体部の前部下部よりトリガーを引き込み可能に垂設し、トリガーの引き込みにより内臓ポンプ機構の作用で容器体内の液を吸い上げ、本体部前部に嵌着したノズルの噴出口より液を噴出する如く構成している。（特許文献１）
【０００３】
従来のこの種の噴出器は例えば容器体の胴部上部を小径に形成し、その部分を握って全体を持ち、人差指一本或いは人差指と中指の二本の指でトリガー操作を行う。また、トリガーの長さは、トリガー操作時に掛ける一本或いは二本の指の幅等を考慮して一般に５０mm前後が採用されている。
【特許文献１】特開平１１−２７６９４５号公報
【発明の開示】
【発明が解決しようとする課題】
【０００４】
この様な従来の噴出器に於いて、一度に多量に使用する種類の収納液を収納したものの場合、吐出回数が多くなって手が疲れたり、長時間のハンドリングで手が痛くなったりする欠点があった。本発明は上記した点に鑑みてなされたもので、長時間トリガー操作を行っても、疲れ，痛み等が生じるのを極力防止でき、また、安定した把持状態での噴出操作が可能であるとともに、トリガーの理想的な指掛け位置を容易に特定できる等、取り扱い上も極めて便利であるトリガー式噴出器を提案する。
【課題を解決するための手段】
【０００５】
第１の手段として、胴部上に口頸部を起立した容器体と、前記口頸部に装着したトリガー式のディスペンサーとを備え、前記胴部の上部を把持可能な把持部に構成するとともに、該把持部を握った手の上面を係止するための係止面を前記把持部上方に設け、且つ、前記容器体前方に揺動可能に垂設したトリガーの下端を前記係止面より下方に垂下した。
【０００６】
第２の手段として、前記第１の手段に於いて、前記係止面を、装着キャップ外面より突設した板状突部の下面として構成した。
【０００７】
第３の手段として、前記第１の手段に於いて、前記係止面を、前記ディスペンサーを構成する本体部の後部を装着キャップの下端レベルまで下方へ垂設し、その下面として構成した。
【０００８】
第４の手段として、前記第１の手段に於いて、前記係止面を、前記把持部の外周上端部に突設した突出部の下面として構成した。
【０００９】
第５の手段として、前記第１の手段に於いて、前記係止面を、前記把持部外周に嵌合させた嵌合筒部外面より突設した板状突部の下面として構成した。
【００１０】
第６の手段として、前記第１乃至第５の手段のいずれかに於いて、前記把持部の前面下部に指掛凹部を形成した。
【００１１】
第７の手段として、前記第１乃至第５の手段のいずれかに於いて、前記トリガーの枢着部から下端部に至る長さを５０〜９０mmに構成するとともに、トリガーの支点から力点の距離：トリガーの支点から作用点の距離＝３．５：１以上で、且つ、前記係止面をトリガー力点と略水平に保つ如く構成した。
【発明の効果】
【００１２】
上記した如く本発明トリガー式噴出器は、握った手の上面を係止するための係止面ａを設けているため、噴出器１を持つ理想的な位置を常時容易に把握でき、その結果トリガー14の理想的な指掛け位置を容易に特定できて安定した把持状態での噴出操作が可能となる。また、噴出器１全体を握る指の負担を軽減し、長時間の使用の場合にも指が疲れたり，痛くなったりすることを極力防止できる。
【００１３】
また、係止面ａをディスペンサーＢの装着キャップ11外面より突設した板状突部19の下面に構成した場合には、係止面ａが充分な突出幅或いは面積を得られ、握った手の上面の接触面積を必要に応じてできるだけ大きく形成でき、より安定して噴出器の支持を行える。
【００１４】
また、前記係止面ａが、前記容器体口頸部３外周に嵌合させた前記ディスペンサーＢを構成する装着キャップ11上の本体部13の後部を前記装着キャップ11の下端レベルまで下方へ垂設し、その下面として構成した場合には、同様に係止面ａの充分な突出幅或いは面積を得られ、より安定した噴出器の支持を行える。
【００１５】
また、前記係止面ａを前記把持部2aの外周上端部に突設した突出部25の下面として構成した場合には、容器体Ａ成形時に一体に係止面ａを形成できる利点を兼ね備える。
【００１６】
また、前記係止面ａを前記把持部2a外周に嵌合させた嵌合筒部27外面上端より突設した板状突部28の下面として構成した場合にも同様に、より安定した噴出器の支持を行えるとともに、これら嵌合筒部27及び板状突部28を別部材として構成しているため、その色を変える等により装飾的効果の増大にも寄与する。
【００１７】
前記把持部2aの前面下部に指掛凹部４を形成したものにあっては、例えば指掛凹部４に薬指20及び小指21の二本の指を掛け、手の上面を係止面ａに当接してトリガー式噴出器１を持つことができるため、噴出器を握る位置がより明確となり、しかもフリーな中指24及び人差指23がトリガー14操作をより行い易くなる利点を兼ね備える。
【００１８】
前記トリガーの枢着部から下端部に至る長さを５０〜９０mmに構成するとともに、トリガーの支点から力点の距離：トリガーの支点から作用点の距離＝３．５：１以上で、且つ、前記係止面をトリガー力点と略水平に保つ如く構成したものにあっては、支点，作用点の位置は変えずにトリガーを長くして指掛部に掛かる力を弱め理想的な把持状態を保てることから、操作する負担を軽減し、長時間の使用の場合にも指が疲れたり痛くなったりすることを極力防止できるという効果を更に増大するものである。
【発明を実施するための最良の形態】
【００１９】
以下、本発明の実施例の形態を図面を参照して説明する。
【００２０】
図１は本発明トリガー式噴出器の一例を示し、該トリガー式噴出器１は、容器体Ａと、ディスペンサーＢとで構成している。
【００２１】
容器体Ａは、胴部２の上に口頸部３を起立するとともに、胴部２の上部を把持可能な把持部2aとして構成している。図示例では、胴部２の下部を円筒状に、その上部を円錐台形状で前部下部に指掛凹部４を凹設した把持部2aを形成している。
【００２２】
ディスペンサーＢは容器体Ａに装着し、容器体内の液を噴出するものであり、容器体Ａに対してその口頸部３外周に嵌合させた装着キャップ11により固定している。この装着キャップ11の上には、ポンプ機構を司るシリンダ12等を内蔵した本体部（シュラウド）13を備え、本体部13の前部より容器体Ａ前方へトリガー14を垂設している。本体部13の先端にはノズル15を嵌着してその前面に噴出口16を開口している。このディスペンサーＢは内臓するポンプ機構を選択し、また、ノズルの内部構造を選択することにより、容器体内の液を水柱状，泡状或いは霧状等の形態に噴出することができる。
【００２３】
トリガー14は、上端を前記本体部13に枢着して容器体Ａ前方に揺動可能に垂設したもので、下端を後述する係止面より下方に垂下している。また、トリガー14の操作により内蔵ポンプ機構の作用で容器体Ａ内の液を吸い上げ、噴出する如く構成している。トリガー14の前面下端部に指掛部17を設けている。指掛部17は、その上部との境を明確にする構造であれば種々の形態を採用でき、例えば、図１の例の如く、その前面が前方へ山形に屈曲した稜線を備え、その下方を指掛部17として構成しても良く、或いは、指掛部の部分を凹部として形成しても良い。前記指掛部17は、人差指と中指の二本の指が掛けられ、また、これらの指が一般的な大人の指の幅の場合を想定して、その長さＬ1 を３５mm〜４０mm前後の長さとすることが好ましい。また、本発明ではトリガー14の枢着部18から下端に至る長さＬが５０mm〜９０mmとなる如く通常のこの種のトリガー長さである５０mm程度と比較して長く構成している。トリガーの長さが９０mmを越えると、トリガーが逆に引きにくく、ボトル容積が減少するなどの製品設計に困難性が生じる。
【００２４】
本発明では、把持部2aを握った手の上面を係止するための係止面ａを把持部2a上方に設けている。図１の場合は、係止面ａを前記装着キャップ11外面より突設した板状突部19の下面に設けた例である。この場合、装着キャップ11の外周下端後部より後方へ舌片状の板状突部19を突設し、その下面を係止面ａとしている。その他この形態の板状突部19の例として、図４に示す如く、装着キャップ11の外周下端部よりフランジ状の板状突部19を突設してその下面を係止面ａとして構成しても良い。図４の例の場合には、板状突部19の位置合せを必要とせずに容器体に対する組み付けが容易となる利点がある。
【００２５】
また、本発明のトリガー式噴出器は、トリガー14の枢着部から下端部に至る長さを前記５０〜９０mmに構成するとともに、図２に示す如く、トリガーの支点Ｐ1 から力点Ｐ2 の距離Ｌ2 ：トリガーの支点Ｐ1 から作用点Ｐ3 の距離Ｌ3 ＝３．５：１以上であり、且つ、前記係止面ａをトリガー力点Ｐ2 と略水平に保つ如く構成している。ここで支点Ｐ1 はトリガー14の枢着部の軸心を、力点Ｐ2 はトリガー14の下端部を、作用点Ｐ3 はトリガー14とシリンダ12内を摺動するプランジャ先端との当接部分を示す。これらの要件と効果との関連を下記の三種類のトリガー式噴出器を対象に試験を行った。結果を表１に示す。
【００２６】
［トリガー式噴出器の種類］
（イ）…図９に示す如き現行形態で、下記表１に示す構造のトリガー式噴出器（商品名：        ：カビ取りルックパワフルジェル：ライオン（株）製）
（ロ）…(イ) をベースとし、トリガーの長さを長く構成した下記表１に示す構造の噴出器（ハ）…本発明のトリガー式噴出器であって、(イ) をベースとし、トリガーの長さを長く        構成し、また、図５にある如き係止面ａを設けた下記表１に示す構造の噴出器
［評価方法］
上記各トリガー式噴出器のトリガーの引きの軽さについて、パネラーがそれぞれ下記の７段階から選択し、複数のパネラーの平均点を評価とした。尚、評価は絶対評価であり、パネラーの数は七名であった。
非常に軽い……………７点        やや重い…………３点
かなり軽い……………６点        かなり重い………２点
やや軽い………………５点        非常に重い………１点
どちらともいえない…４点
【００２７】
【表１】
2006130416.tif 000003
トリガーの支点Ｐ1 から力点Ｐ2 の距離
・Ｌ3 ：トリガーの支点Ｐ1 から作用点Ｐ3 の距離
※試験の結果、（ハ）の本発明のトリガー式噴出器が安定感があり、引き易く、疲れにくいという結果を得た。
【００２８】
上記の如く構成したトリガー式噴出器１は、例えば、住居用洗剤，整髪剤、芳香剤，消臭剤，カビ取り剤，防虫剤等の霧状，泡状，液状に噴出する内容物を収納する。また、使用する場合には、図１の状態から把持部2a部分を握ってトリガー式噴出器１を持つ。この際例えば薬指20と小指21を前記指掛凹部４に掛けるとともに、把持部2a上部外周に反対側から親指22を掛けて持ち、握った手の上面に係止面ａが当接して安定して噴出器を持つことができ、また、その握る位置も自ずから一定に確保される。次いで人差指23と中指24をトリガー14下部の指掛部17に引っ掛けて引き込めば噴出口16より収納液が噴出する。尚、トリガー14を引く指の数は一本，二本に限らず指掛部17の長さ等に応じて二本以上であっても当然可能である。
【００２９】
図５は他の例を示し、本例ではディスペンサーＢの本体部13の後部を下方へ装着キャップ11の下端レベルまで垂下し、その下面を係止面ａとして構成している。その他の構成は図１の例と同様である。
【００３０】
図６は更に他の例を示し、本例は把持部2aの外周上端部に突出部25を形成し、該突出部25下面を係止面ａとしてた例であり、具体的には、把持部2aの後部上端に突出部25としての膨出部25a を膨出形成し、その下面を係止面ａとして構成しており、膨出部25a の下部に凹み26を連設している。その他の構成は図１の例と同様である。尚、突出部25として、上記膨出部に代えて一体に形成した中実の板状突出部を採用することも可能である。
【００３１】
図７は更に他の例を示し、本例では把持部2a外周に嵌合させた嵌合筒部27外面上端部より突設した板状突部28の下面を係止面ａとして構成した係止面形成部材29を用いている。この係止面形成部材29は、図８に示す如く、円筒状の嵌合筒部27の外周上端部より舌片状の板状突部28を突設している。また、この場合の容器体Ａは、図１の例に於いて、胴部２の上端部である把持部2aの上部を段部30を介して小径に形成し、この小径部分に嵌合筒部27を嵌着している。段部30の直上に係合凹部31を周設し、前記嵌合筒部27内周下端部の係合突条32を乗り越え係合させている。また、把持部2aの下方の胴部２は前方へやや突出して形成している。その他の構成は図１の例と基本的に同様である。
【図面の簡単な説明】
【００３２】
【図１】本発明トリガー式噴出器の側面図である。（実施例１）
【図２】本発明トリガー式噴出器の要部側面図である。（実施例１）
【図３】本発明に於ける板状突部の部分の平面図である。（実施例１）
【図４】本発明トリガー式噴出器の側面図である。（実施例２）
【図５】本発明トリガー式噴出器の側面図である。（実施例３）
【図６】本発明トリガー式噴出器の側面図である。（実施例４）
【図７】本発明トリガー式噴出器の側面図である。（実施例５）
【図８】本発明トリガー式噴出器の係止面形成部材の斜視図である。（実施例５）
【図９】従来のトリガー式噴出器の側面図である。
【符号の説明】
【００３３】
２…胴部，2a…把持部，３…口頸部，４…指掛凹部，11…装着キャップ，17…指掛部，  19，28…板状突部，25…突出部，Ａ…容器体，Ｂ…ディスペンサー，ａ…係止面      
【図１】
2006130416.tif 000004
【図２】
2006130416.tif 000005
【図３】
2006130416.tif 000006
【図４】
2006130416.tif 000007
【図５】
2006130416.tif 000008
【図６】
2006130416.tif 000009
【図７】
2006130416.tif 000010
【図８】
2006130416.tif 000011
【図９】
2006130416.tif 000012